(57)【要約】【課題】カバー部材を開いたときに、接触ノイズが発生しないような状態で固定して保持可能で簡素な構造の機器側コネクタのカバー部材を備えた電子機器を提供する。【解決手段】機器本体１０には、アクセサリー用コネクタの部分に、アクセサリー装置２０を装着可能に構成する。アクセサリー用コネクタの部分には、不使用時にカバーするためのカバー部材１２を着脱可能に取り付ける。機器本体１０のコネクタの部分にアクセサリー装置２０を装着したときに、カバー部材１２をアクセサリー装置２０又は機器本体１０に着脱可能に固定するための係合構造１４を設ける。【選択図】図２
2010080198.tif 000002
【特許請求の範囲】
【請求項１】
アクセサリー装置を装着するためのアクセサリー用コネクタの部分を不使用時にカバーするカバー部材を備えた電子機器において、
前記カバー部材には、前記アクセサリー用コネクタに前記アクセサリー装置を装着したときに、前記カバー部材を前記アクセサリー装置に固定するための係合部が形成されていることを特徴とする電子機器。
【請求項２】
前記係合部を前記アクセサリー装置の固定リングに形成された溝部に係合することで、前記カバー部材は前記アクセサリー装置に固定されることを特徴とする請求項１に記載の電子機器。
【請求項３】
前記係合部を前記アクセサリー装置に形成された穴部に挿入することで、前記カバー部材は前記アクセサリー装置に固定することを特徴とする請求項１に記載の電子機器。
【請求項４】
前記係合部は弾性変形可能な可撓材料で形成され、前記係合部を弾性変形させた状態で前記係合部を前記アクセサリー装置に係合することを特徴とする請求項１ないし３のいずれか１項に記載の電子機器。
【請求項５】
前記カバー部材には、撮像装置と接続される接続部が形成されていることを特徴とする請求項１ないし４のいずれか１項に記載の電子機器。
【発明の詳細な説明】
【技術分野】
【０００１】
本発明は、アクセサリーが装脱可能に装着されるアクセサリー用コネクタの部分を不使用時に覆うための、アクセサリー用コネクタのカバー部材を備えた電子機器に関する。
【背景技術】
【０００２】
ビデオカメラといった撮像機器等の電子機器には、機器本体にライトやマイク等のアクセサリーを装着可能に構成したものがある。このような電子機器では、アクセサリーを装着するために電子機器に設けられたアクセサリーシューに電源用または信号授受用の接点を配置し、アクセサリーの装着と接続を同時に行なえるように構成したものが普及している。
【０００３】
さらに、このような電子機器に設けられたアクセサリーシューでは、電気接点を保護するために、アクセサリーを装着しない時にアクセサリーシューを覆う保護用のカバー部材を装着したものがある。
【０００４】
また、アクセサリーシューは、電気接点等を有するので、機器の外形を構成する表面レベルよりも内側に凹んだ場所に設けるのが普通である。このようなアクセサリーシューを覆うためのカバー部材は、電子機器に対して着脱可能に装着されるものであるため、電子機器から取り外され、分離して扱われるように構成すると、紛失の虞がある。
【０００５】
このため、電子機器には、カバー部材を可撓部材によって電子機器本体に接続し、紛失しないように構成したものがある。
【０００６】
このように構成した場合には、電子機器本体のカバー部材を開いて、アクセサリーシューにアクセサリー装置を装着したときに、カバー部材が可撓部材だけで電子機器本体から吊り下がった状態となる。このようなカバー部材が完全に固定されていない状態では、電子機器本体が動くと可撓部材で吊り下がったカバー部材が揺れ動き、アクセサリー装置と接触してノイズの発生源となる不具合が有った。
【０００７】
また、従来の撮像機器では、撮像機器本体のアクセサリーシューを配置した凹部を塞ぐように形成された蓋体の一端部を、撮像機器本体に対して支軸によって回転可能に装着する。そして、蓋体は、凹部を塞ぐ状態と、支軸を中心にして１８０度旋回して撮像機器本体の上面に移動してアクセサリーシューを配置した凹部を開放する状態とに、移動可能とされたものが提案されている（例えば、特許文献１参照）。
【特許文献１】特開２００６−１７９３９３号公報
【発明の開示】
【発明が解決しようとする課題】
【０００８】
しかしながら、従来の撮像機器等の電子機器では、コネクタを備えたアクセサリーシューを開放するためカバー部材を開いたときに、カバー部材を邪魔にならない位置に固定して保持するための固定手段を備えたものがなかった。
【０００９】
本発明の目的は、アクセサリー用コネクタをカバーするカバー部材を開いたときに、接触ノイズが発生しないような状態で固定して保持可能で簡素な構造のアクセサリー用コネクタのカバー部材を備えた電子機器を提供することにある。
【課題を解決するための手段】
【００１０】
上記目的を達成するために、本発明の電子機器は、アクセサリー装置を装着するためのアクセサリー用コネクタの部分を不使用時にカバーするカバー部材を備えた電子機器において、前記カバー部材には、前記アクセサリー用コネクタに前記アクセサリー装置を装着したときに、前記カバー部材を前記アクセサリー装置に固定するための係合部が形成されていることを特徴とする。
【発明の効果】
【００１１】
本発明によれば、アクセサリー用コネクタをカバーするカバー部材を開いたときに簡素な構造の係合構造でカバー部材を固定することにより、接触ノイズが発生しないような状態で固定して、紛失しないよう保持できる。
【発明を実施するための最良の形態】
【００１２】
以下、本発明の実施の形態について、図面を参照しながら説明する。
【００１３】
図１は、本発明の実施の形態に係わる、機器側アクセサリー用コネクタのカバー部材を開いた状態のビデオカメラを示す全体斜視図である。
【００１４】
図２は、本発明の実施の形態に係わる、機器側アクセサリー用コネクタにアクセサリーを装着した状態のビデオカメラを示す背面図である。
【００１５】
図１及び図２において、本実施の形態のカメラシステムは、カメラ本体１００と、カメラ本体１００に装着される交換レンズ２０１とを備える。
【００１６】
図１及び図２において、１０はビデオカメラ本体（撮像装置）、１２は機器側アクセサリー用コネクタのカバー部材であるアクセサリーシューカバーである。このビデオカメラ本体１０の上面には、機器側アクセサリー用コネクタが配置されたアクセサリーシュー１１が設けられている。
【００１７】
このアクセサリーシュー１１は、ビデオカメラ１０の外観面より一段下がった面部に機器側アクセサリー用コネクタ部材を配置して構成する。このビデオカメラ本体１０（撮像装置）では、アクセサリーシュー１１にアクセサリー装置２０を装着しないときに、アクセサリーシューカバー１０３を取り付けて、アクセサリーシュー１１のコネクタの電気接点等を覆って保護する。
【００１８】
一方、ビデオカメラ本体１０にアクセサリー装置２０を装着して使用する場合には、アクセサリーシューカバー１２を外して、機器側アクセサリー用コネクタにアクセサリー装置２０を装着して使用する。このアクセサリー装置２０は、固定リング２１を回転操作してビデオカメラ本体１０のコネクタに着脱可能に固定されるよう構成されている。
【００１９】
このビデオカメラ本体１０では、アクセサリーシューカバー１２の紛失防止の為、アクセサリーシュー１１とアクセサリーシューカバー１２とが弾性変形可能な可撓部材１３で接続されている。可撓部材１３はアクセサリーシューカバー１２とビデオカメラ本体１０とを接続する接続部として機能する。このアクセサリーシューカバー１２では、アクセサリーシュー１１を覆うように閉じていたアクセサリーシューカバー１２を開いたときの内面におけるビデオカメラ本体１０側に当たる側辺部の接眼部寄りに、可撓部材１３の一端部を接続する。
【００２０】
また、アクセサリーシューカバー１２には、アクセサリーシュー１１にアクセサリー装置２０を装着したときに、アクセサリーシューカバー１２をアクセサリー装置２０に固定して保持するための係合部材１４を突設する。このアクセサリーシューカバー１２では、開いた状態のアクセサリーシューカバー１２内面におけるビデオカメラ本体１０側に当たる側辺部の被写体寄りに、係合構造の一方となる係合部材１４が突設されている。  図２に示すように、ビデオカメラ本体１０のアクセサリーシュー１１に、アクセサリー装置２０として例えばマイクロホンを装着して使用する場合には、取り外したアクセサリーシューカバー１２をマイクロホン２０に着脱可能に固定する。このマイクロホンを装着して使用する場合には、アクセサリーシューカバー１２の係合部材１４をマイクロホン２０の固定リング２１の部分に係合してアクセサリーシューカバー１２を着脱可能に固定して保持する。係合部材１４はアクセサリーシューカバー１２をアクセサリー装置２０の固定リング２１に係合する係合部として機能する。
【００２１】
次に、アクセサリーシューカバー１２をマイクロホン２０に着脱可能に固定するための係合構造の構成について、図３によって、説明する。
【００２２】
図３は、アクセサリーシューカバー１２とマイクロホン２０との間における、固定用の係合構造を示す要部拡大断面図である。
【００２３】
図４は、アクセサリーシューカバー１２とマイクロホン２０との間における、他の固定用の係合構造を示す要部拡大断面図である。
【００２４】
この図３に示す固定用の係合構造では、アクセサリーシューカバー１２の係合部材１４を、固定リング２１の溝部３０に着脱可能に係合させることにより、アクセサリーシューカバー１２を固定リング２１で動かないように保持する。
【００２５】
このアクセサリーシューカバー１２から一体的に突設する係合構造の一方となる係合部材１４は、可撓性に富んだ材料で構成するもので、例えば、ポリプロピレン等の適度な硬さと柔軟性を持つプラスチック材料で形成する。
【００２６】
この係合部材１４は、断面矩形枠の一辺の中間部を切除した、断面略Ｃの字状に形成し、その開口と反対側に支持梁部を一体的に突設した形状に形成されている。このように形成された係合部材１４は、その支持梁部の基端部をアクセサリーシューカバー１２の内面所定位置に固着して立設する。
【００２７】
この係合部材１４が係着されるアクセサリーシューカバー１２の固定リング２１には、係合構造の他方となる係着用溝部３０を設ける。この固定リング２１は、円環状（フランジ状）に形成され、その上下両平面に、それぞれリング状の係着用溝部３０が形成されている。
【００２８】
この係着用溝部３０は、固定リング２１と同芯円に形成され、固定リング２１の外周から所定距離だけ中心側に寄った位置に配置されている。すなわち、係着用溝部３０の直径は、固定リング２１の直径より、係合部材１４における断面略Ｃの字状の内部空間の幅に対応した長さ分だけ短くなるように構成されている。
【００２９】
このような係着用溝部３０を形成した固定リング２１には、その任意の外周の位置に、図３に例示するように、係合部材１４を着脱可能に係着することができる。すなわち、係合部材１４は、固定リング２１の外周端部を上下から挟み、係合部材１４の各自由端部に鉤状に屈曲した鉤爪部分がそれぞれ対応する係着用溝部３０に係着するようにはめ込むことによって、着脱可能に固定される。これによりアクセサリーシューカバー１２は、係合部材１４及び固定リング２１を介して、マイクロホン２０に固定される。
【００３０】
係着用溝部３０を固定リング２１の全周に設けた場合には、アクセサリーシューカバー１２に設けた係合部材１４の方向又はアクセサリーシューカバー１２の開放方向に制限されずに係合部材１４を固定リング２１に係着できる。すなわち、このように構成した場合には、アクセサリーシューカバー１２をビデオカメラ本体１０から脱却したときの方向に寄らず、任意の位置でアクセサリーシューカバー１２をアクセサリー装置２０側に固定できる。よって、係着用溝部３０を固定リング２１の全周に設けた場合には、高機能化を図ることができる。
【００３１】
よって、係着用溝部３０を固定リング２１の全周に設けた場合には、固定リング２１に対し係合部材１４を介したアクセサリーシューカバー１２の取り付け態様の自由度を拡大できる。
【００３２】
また、係合部材１４を可撓部材１３と同様に、柔軟性に富む可撓材料で形成した場合には、係合部材１４の取り付け作業を、はめ込み動作によりワンタッチで簡単かつ迅速に行なうことができる。さらに、係合部材１４を柔軟性に富む可撓材料で形成した場合には、マイクロホン等のアクセサリー装置２０に傷を付けることを防止することができる。
【００３３】
なお、上述した図３に示す係合部材１４では、アクセサリーシューカバー１２に係合部材１４を単数設けた構成について説明したが、アクセサリーシューカバー１２に係合部材１４を複数設けても良い。アクセサリーシューカバー１２に係合部材１４を複数設けた場合には、アクセサリーシューカバー１２を固定する向きや位置を細かく調整することが可能となる。
【００３４】
また、図示しないが、アクセサリーシューカバー１２には、係合部材１４を９０度回転させた状態で取り付けるように構成しても良い。このように構成した場合には、係合部材１４を固定リング２１の係着用溝部３０に係合するときに、係合部材１４がねじられて発生するねじりを戻す方向の付勢力の作用で、固定力を向上し又は必要な保持力に調整することができる。
【００３５】
次に、アクセサリーシューカバー１２をビデオカメラ１０に装着するための係合部材１４の他の構成例について、図４により説明する。
【００３６】
次に、アクセサリーシューカバー１２をマイクロホンに着脱可能に固定するための他の構成例について、図４によって、説明する。
【００３７】
図４は、アクセサリーシューカバー１２とマイクロホンとの間における、他の固定用の係合構造を示す要部拡大断面図である。
【００３８】
この図４に示す固定用の係合構造では、アクセサリーシューカバー１２の内面所定位置に係合構造の一方となる係合部材１４を突設する。この係合部材１４は、柱状部材１４Ｂの自由端部に、柱状部材１４Ｂよりも外形が大きな係着用頭部１４Ａを一体に形成して構成する。
【００３９】
これと共に、係合部材１４を係着するため、アクセサリー装置２０であるマイクロホン本体には、係合構造の他方となる係着用穴部４０を設ける。この係着用穴部４０は、柱状部材１４Ｂの外径に対応した狭い入り口の奥に、係着用頭部１４Ａに対応した広い穴底部を形成して構成する。
【００４０】
このように構成した係着用穴部４０には、係合部材１４を頭部から圧入（挿入）することによって、はめ込んで保持する。なお、係着用穴部４０の穴の内形状は、係合部材１４の外形状に相似する形状又は近似する形状とする。また、係着用穴部４０の断面形状と係合部材１４の断面形状とは、断面円形の他に、断面楕円形、断面直円形又は３本以上の辺で囲まれている断面形状である断面多角形に形成してもよい。このように係合部材１４を断面多角形等に形成した場合には、係合部材１４が１本であっても、係着用穴部４０内で係合部材１４が回転しないので、アクセサリーシューカバー１２の保持状態を一定の姿勢に維持できる。また、アクセサリーシューカバー１２側に複数の係合部材１４を設け、これに対応してアクセサリー装置２０であるマイクロホン本体側に複数の係着用穴部４０を設けても良い。
【００４１】
さらに、アクセサリー装置２０であるマイクロホン本体側には、全周にわたって複数の係着用穴部４０を設け、これに係合部材１４を選択的に挿入させ得るように構成しても良い。このように構成した場合には、アクセサリー装置２０に対するアクセサリーシューカバー１２の取り付け状態を、所望の状態に設定することができる。
【００４２】
また、係着用穴部４０は、ビデオカメラ本体１０における外面部（例えばアクセサリーシュー１１の周囲等）に配置しても良い。このように構成した場合には、ビデオカメラ本体１０に対し、係合部材１４を介してアクセサリーシューカバー１２を取り付けることになる。
【００４３】
以上説明したように、このビデオカメラ本体１０では、アクセサリー装置２０又はビデオカメラ本体１０に設けた係着用穴部４０に対して係合部材１４を介してアクセサリーシューカバー１２を着脱可能に取り付けるよう構成する。
【００４４】
このように構成した場合には、アクセサリー装置２０装着時のアクセサリーシューカバー１２の脱却時に、紛失の防止と接触ノイズの防止を図り、使い勝手の向上を図ることが可能となる。
【００４５】
さらに、アクセサリー装置２０の固定リング２１全周に渡って係着用溝部３０を設けて係合部材１４を固定可能とした場合には、固定リング２１の任意の位置に係合部材１４を係着できる。よって。固定リング２１に対する係合部材１４の係着作業を容易にして、使い勝手の向上を図ることが可能となる。これと共に、アクセサリーシューカバー１２をねじって固定リング２１に取り付ける場合には、ねじりによる付勢力を調整してアクセサリーシューカバー１２を固定リング２１に強固に固定できるので、接触ノイズを有効に防止できる。
【００４６】
なお、上述の実施の形態では、ビデオカメラとマイクロホンの取付を例に説明してきたが、これに限定されるものではなく、その他種々の接触ノイズが問題となる機器に、本発明を適用できることは、勿論である。
【図面の簡単な説明】
【００４７】
【図１】本発明の実施の形態に係わる、機器側アクセサリー用コネクタのカバー部材を開いた状態のビデオカメラを示す全体斜視図である。
【図２】本発明の実施の形態に係わる、機器側アクセサリー用コネクタにアクセサリーを装着した状態のビデオカメラを示す背面図である。
【図３】アクセサリーシューカバーとマイクロホンとの間における、固定用の構造を示す要部拡大断面図である。
【図４】アクセサリーシューカバーとマイクロホンとの間における、他の固定用の構造を示す要部拡大断面図である。
【符号の説明】
【００４８】
１０  ビデオカメラ本体
１１  アクセサリーシュー
１２  アクセサリーシューカバー
１３  可撓部材
１４  係合部材
２０  アクセサリー装置
２１  固定リング
３０  係着用溝部
４０  係着用穴部
【図１】
2010080198.tif 000003
【図２】
2010080198.tif 000004
【図３】
2010080198.tif 000005
【図４】
2010080198.tif 000006